(57)【要約】【課題】パネルからの操作ボタンの抜け落ち、脱落を防止し、しかも丸形ボタンであっても回転が防止され、調整やメインテナンスなどの点検の作業性を向上するエレベータ操作盤を得る。【解決手段】スイッチ１４をそれぞれ有する複数のスイッチボックス１２と、これらのスイッチボックス１２を保持する保持手段１１と、スイッチボックス１２と分離して対応して設けられる操作ボタン１６と、操作ボタン１６を嵌挿保持するボタン開口部１３ａを有し操作ボタン１６を対応するスイッチボックス１２に位置合わせ配置し、操作ボタン１６の押圧により対応するスイッチボックス１２のスイッチ１４を動作可能としたパネル１３と、スイッチボックス１２とパネル１３間に配置され、片面を粘着面としパネル１３の裏面および操作ボタン１６に粘着し操作ボタン１６を保持する粘着シート１７とを具備する。【選択図】図３
2007084202.tif 000002
【特許請求の範囲】
【請求項１】
スイッチボックスと対向して設けられる操作ボタンと、
前記操作ボタンを嵌挿保持するボタン開口部を有し、前記操作ボタンの押圧により対向するスイッチボックスを動作可能としたパネルと、
前記スイッチボックスと前記パネル間に配置され、前記パネルの裏面および前記操作ボタンに粘着し前記操作ボタンを保持する粘着シートとを具備してなることを特徴とするエレベータ操作盤。
【請求項２】
前記粘着シートが透光性を有することを特徴とする請求項１に記載のエレベータ操作盤。
【請求項３】
前記スイッチボックスは光源を有し、前記操作ボタンが透光性を有することを特徴とする請求項1に記載のエレベータ操作盤。
【請求項４】
前記操作ボタンの少なくとも１つが円形であることを特徴とする請求項１に記載のエレベータ操作盤。
【発明の詳細な説明】
【技術分野】
【０００１】
本発明は、エレベータのかご内やエレベータホールに設置されるエレベータ操作盤に関する。
【背景技術】
【０００２】
エレベータのかご内やエレベータホールには、利用者がエレベータのドアの開閉や行先階の指定、かごの呼び出し等の基本オペレーションを行うための操作ボタンを備えたエレベータ操作盤が設置されている。操作ボタンは透光性樹脂により形成され、入力操作が受け付けられたか否かを利用者に知らせるために、押圧されると点灯するようになっている。
【０００３】
エレベータ操作盤のパネルは、パネルの開口部にこれら操作ボタンを挿入配置している。利用者がこれらの操作ボタンを選択的に押圧することにより、ドアの開閉や行先階の指定、かごの呼び出し等を行う。
【０００４】
各操作ボタンの裏側には、操作ボタンのそれぞれの裏面に対向するようにスイッチやＬＥＤやランプ等を備えたスイッチボックス部が配置されている。これらのスイッチボックス部を一体的に収納する収納ボックスをエレベータかごの袖壁やエレベータホール壁に取り付ける。収納ボックス前面にパネルが配置される（例えば特許文献１参照）。
【特許文献１】特開２００４‐１８２３７１
【発明の開示】
【発明が解決しようとする課題】
【０００５】
しかしながら、操作ボタンはパネルのみによって保持されるのが一般的であるため、点検作業などでパネルをエレベータかごの袖壁から取り外すときに、操作ボタンの押さえがなくなりばらばらにパネルから脱落落下してしまう。一方、パネルとは独立して一連の操作ボタンを保持するボタン保持枠をパネルとスイッチボックス間に配置する構造も考えられるが、一つのボタンを取り外すだけであってもボタン保持枠をも取り外さなければならい。もちろん、垂直な袖壁でのパネルやボタン保持枠の取り外し作業であるため他の操作ボタンも落下し手しまう可能性がある。さらに一般的な円形の操作ボタンの場合、長期間の使用または取り付け作業時に回転ずれを起こし易く符号、文字、数字が傾き認識しずらくなる。
【０００６】
また個々にボタンを固定したり、円形ボタンでは回転防止の爪を設けたり、ボタンの裏側を角形にする構造もあるが、ボタンの製作が複雑であり、固定方法もそれぞれ複雑になる。
【０００７】
本発明の目的はパネルからの操作ボタンの抜け落ち、脱落が防止され、しかも円形ボタンであっても回転が防止され、もって調整やメインテナンスなどの点検作業を効率化させることのできるエレベータ操作盤を得るものである。
【課題を解決するための手段】
【０００８】
本発明の一態様は、スイッチボックスと対向して設けられる操作ボタンと、
前記操作ボタンを嵌挿保持するボタン開口部を有し、前記操作ボタンの押圧により対向するスイッチボックスを動作可能としたパネルと、
前記スイッチボックスと前記パネル間に配置され、前記パネルの裏面および前記操作ボタンに粘着し前記操作ボタンを保持する粘着シートとを具備してなることを特徴とするエレベータ操作盤にある。
【発明の効果】
【０００９】
本発明によれば、パネルからの操作ボタンの抜け落ち、脱落が防止され、しかも円形ボタンであっても回転が防止される。したがって、調整やメインテナンスなどの点検作業の効率化が図れる。
【発明を実施するための最良の形態】
【００１０】
以下図面を参照して本発明の実施形態を説明する。本実施形態は、エレベータの乗りかご内に設置される乗りかご用エレベータ操作盤すなわちかご操作盤に本発明を適用した例である。かご操作盤１０は、図１に示すように、かご扉２１側方の袖壁２２に設置され、乗りかご２０内の乗客が所定階停止等の操作を行う際に利用される。かご操作盤１０は、図２、３に示すように、袖壁２２に設けた開口取付け部２３に、収納ボックス１１内に固定されたスイッチボックス１２の開口前方がかご２０内に向くように取り付けられ、パネル１３によって閉塞されて設置されている。
【００１１】
図４に示すように、スイッチボックス１２はスイッチ１４と、ＬＥＤやランプ等の光源部１５を有し、乗りかごの現在位置を階床番号で表示するディスプレイ３０（図２）とともに収納ボックス１１のスイッチボックス保持具１１ａに固定されて収納される。スイッチ１４はかご扉２１の開閉を指示するスイッチ、行き先階床を指定するためのスイッチ、乗りかご内の環境を調整するための各種スイッチからなる。
【００１２】
パネル１３側にはスイッチと分離された状態で透光性を有する操作ボタン１６が配置され、押圧により前記スイッチが動作する。操作ボタン１６には扉開閉ボタン１６ａ，１６ｂ、階床先番号ボタン１６ｃ〜１６ｆ、非常ボタン（不図示）など、各種情報が表記されたボタンからなり、その裏面には各スイッチが対向配置される。ここでは円形操作ボタンを示しているが角形などであってもよい。
【００１３】
パネル１３とスイッチボックス１２間には、薄い合成樹脂からなる透光性片面粘着シート１７が介挿される。粘着シート１７は粘着面が操作ボタン１６側に向くように配置される。粘着シート１７は全ての操作ボタンを覆うように配置され、操作ボタン１６の裏面と粘着する。片面粘着シートとして、例えば透明なポリプロピレンフィルムの片面にアクリル樹脂系粘着剤を塗布したものを用いることができる。膜厚は例えば０．０７ｍｍ程度、粘着力は０．５（Ｎ／２０ｍｍ）程度でよい。
【００１４】
すなわちパネル１３は、操作ボタン１６を前面に突出して押圧方向に摺動可能に嵌挿保持するボタン開口部１３ａを備えており、操作ボタン１６を押圧すると操作ボタン１６が押し込まれ、シート１７を介してスイッチボックス１２内の光拡散板１８が押されてスイッチ１４が動作する。すると光源部１５が発光するとともにエレベータ全体を制御する制御装置（不図示）に指令信号が送られる。また光源部１５の発光により拡散板１８、粘着シート１７、操作ボタン１６を透過して操作ボタンの情報表示部が照らされる。なお、スイッチボックス１２内にはばね１９が設置されているため、押圧された操作ボタン１６はばねの復元力により光拡散板１８を介して押し戻され、初期位置に復帰する。粘着シート１７は上記の通り薄く柔軟性に富むものが使用されているため、操作ボタンの操作、スイッチ動作に影響を与えることがない。
【００１５】
また、粘着シート１７の粘着面１７ａはパネル裏面１３ｃおよび操作ボタン裏面１６ａに比較的簡単かつ破れることなく剥がすことができる状態で粘着している。したがって、パネル１３に嵌合された全ての操作ボタンは、パネル１３を裏返したとしてもパネル１３から離脱してしまうことがない。
【００１６】
そして、乗りかご２０の垂直面をなす袖壁２２上のかご操作盤１０のパネル１３を取り外した場合、パネル１３とともに操作ボタン１６が取り外されるが、これら操作ボタン１６は粘着シートによりパネル１３に保持された状態を保つことができる。したがって操作ボタン１６が落下してばらばらになることがない。また、操作ボタン１６とパネル１３との位置関係が一定に保たれるため、操作ボタン１６が円形であったとしても回転してしまうことがない。なお、粘着シート１７は取り替えも容易であるため、粘着シート１７が汚染や劣化したとしても簡単に交換することができる。
【００１７】
もちろん、複数枚の粘着シートを操作ボタンごとにそれぞれ配置したり、数個ずつまとめて配置したりすることができる。個々の粘着シートを操作ボタン裏面およびそのパネル裏面近傍に粘着させることにより、特定の操作ボタンに損傷などが生じた場合にも、該当する操作ボタンの粘着シートのみを剥がして交換すればよい。
【００１８】
さらに粘着シートの配置を容易にするために、操作ボタン１６の裏面１６ａがパネル裏面１３ｃとほぼ同一平面であることが望ましい。
【００１９】
なお、本発明は操作ボタン数の比較的多い乗りかご用エレベータ操作盤だけでなく、エレベータホール用エレベータ操作盤についても同様に適用することができる。
【図面の簡単な説明】
【００２０】
【図１】本発明の一実施形態を説明する乗りかご内の正面略図。
【図２】本発明の一実施形態を説明するかご操作盤の正面略図。
【図３】図２のかご操作盤の組立構造を分解して説明する断面略図。
【図４】本発明の一実施形態のスイッチボックスおよび操作ボタンの断面図。
【符号の説明】
【００２１】
１０：かご操作盤
１１：収納ボックス
１２：スイッチボックス
１３：パネル
１４：スイッチ
１５：光源部
１６：操作ボタン
１７：片面粘着シート
１８：光拡散板
１９：ばね
２０：乗りかご
２２：袖壁
【図１】
2007084202.tif 000003
【図２】
2007084202.tif 000004
【図３】
2007084202.tif 000005
【図４】
2007084202.tif 000006